(57)【要約】【課題】従来に増して操作性の良好な水栓ハンドルを提供する。【解決手段】平面形状が大径の円形をなすハンドル基部２４と、ハンドル基部２４から突き出したレバー部２６とを有する水栓ハンドル２２において、ハンドル基部２４のレバー部２６の左右両側部分に凹み２８を設ける。この凹み２８は湾曲形状となしておくことができる。【選択図】        図３
2007169978.tif 000002
【特許請求の範囲】
【請求項１】
水栓におけるハンドル保持部側への連結部となる、平面形状が大径をなすハンドル基部と、該ハンドル基部の上側に設けられ、該ハンドル基部の軸心と交差する方向に該ハンドル基部から突き出したレバー部とを有する水栓ハンドルにおいて、
前記レバー部側から見て前記ハンドル基部の左右両側部分に、凹みを設けたことを特徴とする水栓ハンドル。
【請求項２】
請求項１において、前記凹みが前記レバー部の側面に対して連続面をなす形状で設けてあることを特徴とする水栓ハンドル。
【請求項３】
請求項２において、前記凹みが湾曲形状であることを特徴とする水栓ハンドル。
【請求項４】
水栓におけるハンドル保持部側への連結部となる、平面形状が大径をなすハンドル基部と、該ハンドル基部の上側に設けられ、該ハンドル基部の軸心と交差する方向に該ハンドル基部から突き出したレバー部とを有する水栓ハンドルにおいて、
前記レバー部は、前記ハンドル基部から突出したレバー主部と、該レバー主部とは反対方向に該ハンドル基部から突出した補助レバー部とを備えた形態で構成してあることを特徴とする水栓ハンドル。
【請求項５】
請求項１〜３の何れかにおいて、前記レバー部は、前記ハンドル基部から突出したレバー主部と、該レバー主部とは反対方向に該ハンドル基部から突出した補助レバー部とを備えた形態で構成してあることを特徴とする水栓ハンドル。
【請求項６】
請求項４又は５において、前記レバー主部の突出長さが前記補助レバー部の突出長さに対して、相対的に大きいことを特徴とする水栓ハンドル。
【請求項７】
請求項１〜６の何れかにおいて、前記レバー部の上面は幅方向両端から中央部に進むにつれて凹面と成してあることを特徴とする水栓ハンドル。
【発明の詳細な説明】
【技術分野】
【０００１】
この発明はシングルレバー式混合水栓の水栓ハンドルとして好適な水栓ハンドルに関し、詳しくはハンドル形状に特徴を有するものに関する。
【背景技術】
【０００２】
従来より、水栓の一種としてシングルレバー式混合水栓が広く使用されているが、このシングルレバー式混合水栓の水栓ハンドルは、例えば下記特許文献１に開示されているようにハンドル保持部側への連結部となる、平面形状が大径をなすハンドル基部と、ハンドル基部の天面側に設けられ、ハンドル基部の軸心と交差する方向にハンドル基部から突き出したレバー部とを有する形態を成している。
【０００３】
図１２はその一例を示したもので（特許文献１に開示のもの）、図中２００は水栓ハンドルを、２０２はハンドル基部を、２０４はハンドル基部２０２から突き出したレバー部を表している。
ここでレバー部２０４は、ハンドル基部２０２の軸心に対して略直角をなす向きにハンドル基部２０２から突き出している。
この水栓ハンドル２００にあっては、レバー部２０４を手で掴んで水栓ハンドル２００を左右に回転操作することで吐水の温度調節を行い、またレバー部２０４を起伏させる方向の上下方向に回転操作することで吐止水及び吐水の流量調節を行う。
【０００４】
この水栓ハンドル２００で代表されるように従来のシングルレバー式混合水栓の水栓ハンドルは、平面形状が大径をなすハンドル基部２０２から単にレバー部２０４が突き出しただけの形態のものであり、そのためハンドル操作が画一的とならざるを得ず、水栓ハンドルの操作性の点で十分とは言えないものであった。
【０００５】
以上１つのハンドルで温度調節と流量調節とを行うシングルレバー式混合水栓の水栓ハンドルについて述べたが、これ以外の他の種類の水栓の水栓ハンドル、例えば単にハンドルをその軸心周りに左右方向に回転操作するだけの水栓ハンドルや、その軸心を含む面内でレバー部を起伏させるように回転操作するだけの水栓ハンドル等においても操作性が不十分であるといった問題があった。
【０００６】
【特許文献１】特開２００４−３０８２１２号公報
【発明の開示】
【発明が解決しようとする課題】
【０００７】
本発明は以上のような事情を背景とし、従来に増して操作性の良好な水栓ハンドルを提供することを目的としてなされたものである。
【課題を解決するための手段】
【０００８】
而して請求項１のものは、水栓におけるハンドル保持部側への連結部となる、平面形状が大径をなすハンドル基部と、該ハンドル基部の上側に設けられ、該ハンドル基部の軸心と交差する方向に該ハンドル基部から突き出したレバー部とを有する水栓ハンドルにおいて、前記レバー部側から見て前記ハンドル基部の左右両側部分に、凹みを設けたことを特徴とする。
【０００９】
請求項２のものは、請求項１において、前記凹みが前記レバー部の側面に対して連続面をなす形状で設けてあることを特徴とする。
【００１０】
請求項３のものは、請求項２において、前記凹みが湾曲形状であることを特徴とする。
【００１１】
請求項４のものは、水栓におけるハンドル保持部側への連結部となる、平面形状が大径をなすハンドル基部と、該ハンドル基部の上側に設けられ、該ハンドル基部の軸心と交差する方向に該ハンドル基部から突き出したレバー部とを有する水栓ハンドルにおいて、前記レバー部は、前記ハンドル基部から突出したレバー主部と、該レバー主部とは反対方向に該ハンドル基部から突出した補助レバー部とを備えた形態で構成してあることを特徴とする。
【００１２】
請求項５のものは、請求項１〜３の何れかにおいて、前記レバー部は、前記ハンドル基部から突出したレバー主部と、該レバー主部とは反対方向に該ハンドル基部から突出した補助レバー部とを備えた形態で構成してあることを特徴とする。
【００１３】
請求項６のものは、請求項４又は５において、前記レバー主部の突出長さが前記補助レバー部の突出長さに対して、相対的に大きいことを特徴とする。
【００１４】
請求項７のものは、請求項１〜６の何れかにおいて、前記レバー部の上面は幅方向両端から中央部に進むにつれて凹面と成してあることを特徴とする。
【発明の作用・効果】
【００１５】
以上のように本発明は、ハンドル基部とレバー部とを有する水栓ハンドルにおいて、レバー部側から見てハンドル基部の左右両側部分に、凹みを設けたものである。
本発明によれば、水栓ハンドルをハンドル基部の軸心回りに左右に回転操作する場合においても、或いはまた軸心を含む操作面内でレバー部を起伏させる方向に上下に回転操作する場合においても、その操作の一態様として凹みに指を載せたり指を掛けたり、或いはレバー自体を両側の凹みの部分で摘んで回転等操作することが可能であり、水栓ハンドルの操作のバリエーションが広がって、即ち可能な操作態様が多くなって水栓ハンドルの操作性，使い勝手が従来に増して良好となる。
【００１６】
この場合において上記凹みはレバー部の側面に対して連続面をなす形状で設けておくことができる（請求項２）。
更にこの場合において凹みは湾曲形状となしておくことができる（請求項３）。
請求項２の場合、レバー部の側面と凹みとの間に段差がなくなって操作性が良好となり、また請求項３によれば、レバー部の側面が湾曲形状をなす凹みの一部を構成するようになるため、即ちレバー部の側面を含んで湾曲形状の凹みが構成されるため、指を凹みからレバー部の側面にまたがって掛けたりすることができ、操作性が更に良好となる。
【００１７】
次に請求項４は、ハンドル基部から突出したレバー主部と、これとは反対方向にハンドル基部から突出した補助レバー部とを備えた形態でレバー部を構成したもので、この場合水栓ハンドルの操作の一態様として、その補助レバー部に手を載せたり或いは手を掛けてハンドル操作をすることが可能となり、水栓ハンドルの操作性が更に良好となる。
【００１８】
次に請求項５は、請求項１と請求項４とを組み合わせて水栓ハンドルを構成したもの、即ち上記の凹みと補助レバー部とを設けた形態で水栓ハンドルを構成したもので、この場合にはその操作の一態様として、凹みと補助レバー部との両方に指を載せたり、指を掛けたりして水栓ハンドルを操作することが可能となり、その操作性が更に良好となる。
【００１９】
次に請求項６は、レバー主部の突出長さを補助レバー部の突出長さに対して相対的に大きくしたもので、レバー主部を優先的に使用する場合、補助レバー部よりも相対的に大きいので、レバー主部の視認性が良く、操作がし易い。
【００２０】
次に請求項７は、レバー部の上面を幅方向両端から中央部に進むにつれて凹面となしたもので、この場合、レバー部の上面に指を載せて水栓ハンドルを操作する際の操作性が良好となる。
【発明を実施するための最良の形態】
【００２１】
次に本発明の実施形態を図面に基づいて詳しく説明する。
図１において、１０は洗面化粧台等に備えられる手洗器で、ボール部１２と、後端から立ち上がる縦の壁１４とを有している。
そして図２にも示しているように、この壁１４にシングルレバー式混合水栓の吐水部１６と、水栓本体１８とが前方に突出する状態で取り付けられている。
吐水部１６は先端に吐水口２０を有し、その吐水口２０から吐水を行うようになっている。
一方水栓本体１８には水栓ハンドル２２が取り付けられ、保持されている。
この水栓ハンドル２２は、水栓本体１８に内蔵された弁機構と作動的に連結されている。
【００２２】
図３に水栓ハンドル２２の具体的構成が示してある。
図に示しているように水栓ハンドル２２は、水栓本体（ハンドル保持部）１８側への連結部となる、断面形状が逆カップ状且つ平面形状が大径の円形状をなすハンドル基部２４と、ハンドル基部２４の上側に設けられたレバー部２６とを有している。
ここでレバー部２６は、ハンドル基部２４からその軸心に対して交差する方向、ここでは略直角方向にハンドル基部２４から突き出している。
【００２３】
尚ハンドル基部２４は、図３（Ｃ）に示しているように略円筒形状をなしている。
図３（Ｃ）に示しているように、ハンドル基部２４にはレバー部２６側から見て左右両側部分に凹み２８が設けられている。
【００２４】
レバー部２６は、ハンドル基部２４から図中下向きに大きく突出したレバー主部２６Ａと、ハンドル基部２４からこれとは逆向きである図中上向きに且つレバー主部２６Ａよりも小さく突出した補助レバー部２６Ｂとを有している。
ここでレバー部２６は、その上面全体が全長に亘って幅方向両端から中央部に進むにつれて凹面３２となしてある。
尚レバー部２６は、図３（Ｂ）に示しているようにその上面の全体が図３（Ｂ）中左向きに凸をなす連続した湾曲面形状を成している。
【００２５】
この実施形態において水栓ハンドル２２は、図４（Ｂ）に示しているようにハンドル基部２４の軸心周りに回転操作することで吐水口２０からの吐水の温度を調節する。
また図４（Ａ）に示しているようにハンドル基部２４の軸心を含む縦の操作面内でレバー部２６を起伏させる方向に回転操作することで、吐止水及び吐水の流量調節を行う。
尚ここではレバー主部２６Ａを壁１４から離れる方向に回転操作することで吐水或いは吐水の流量増大が行われ、また逆にレバー主部２６Ａを壁１４側に押込操作することで吐水の流量が絞られ或いは止水が行われる。
【００２６】
図５（Ａ）は水栓ハンドル２２の操作の一例を示している。
図示のようにこの水栓ハンドル２２は、レバー主部２６Ａを手で掴んで図４（Ｂ）の左右方向にも、また図４（Ａ）の起伏方向にも回転操作することができる。
或いは図５（Ｂ）に示しているように、凹み２８においてレバー部２６を含む水栓ハンドル２２の上部を手で挟むように掴み、水栓ハンドル２２を図４（Ｂ）の左右方向に回転操作することもできる。
この場合、手で掴んだ部分が軸心に近くなるので回転操作がやり易い。
【００２７】
水栓ハンドル２２はまた、図６に示しているように一対の凹み２８においてレバー部２６を含むハンドル２２の上部を掴むとともに、ハンドル基部２４から図中下向きに突き出したレバー主部２６Ａに他の指を掛け、その状態で図４（Ｂ）の左右方向に回転操作したり、或いは図４（Ａ）の起伏方向に回転操作することもできる。
【００２８】
以上のように水栓ハンドル２２に凹み２８を設けることによって、水栓ハンドル２２に対する様々な操作が可能となり、また図６に示しているように凹み２８とレバー主部２６Ａの両方とに手指を掛けることによって、複数箇所にまたがって水栓ハンドル２２に対し回転方向の力を加えることが可能となり、これにより水栓ハンドル２２に対して操作力を効果的に加えることが可能となり、水栓ハンドル２２を軽やかに回転操作できるようになる。
このように本実施形態においては様々な操作方法で水栓ハンドル２２を操作することができるとともに、僅かな力で軽やかに水栓ハンドル２２を回転操作することが可能となり、水栓ハンドル２２の操作性が向上する。
【００２９】
以上は凹み２８とレバー主部２６Ａとを用いた操作の一例であるが、本実施形態の水栓ハンドル２２は、レバー部２６が図３（Ａ），（Ｂ）中上方に突出した補助レバー部２６Ｂを備えて構成されており、この補助レバー部２６Ｂを用いた様々な操作が可能である。
図７〜図９はその一例を示している。
【００３０】
この補助レバー部２６Ｂを用いた操作の一例として、例えば図７（Ａ）に示しているように、補助レバー部２６Ｂの上面（天面）に親指を載せ、また他の残りの指でレバー主部２６Ａを掴んで、水栓ハンドル２２を図４（Ａ）の起伏方向に回転操作し、或いは図４（Ｂ）に示す左右方向に回転操作することができる。
このとき補助レバー部２６Ｂの上面を含むレバー部２６の上面全体が凹面をなしているため補助レバー部２６Ｂの上面に対する指の接触面が広くなるため、更には指の腹の面が凹面３２にしっくりとなじみ易いため操作性が良好で操作フィーリングも良好となる。
【００３１】
或いは図７（Ｂ）に示しているように、例えば人差指を図中上向きに突出した補助レバー部２６Ｂの側面に掛け、他の指でレバー主部２６Ａを握ったり、或いはその際に親指を一方の凹み２８の底面３０にあてがって、水栓ハンドル２２を図４（Ａ）に示す方向或いは（Ｂ）に示す方向に回転操作することができる。
【００３２】
或いは図８に示しているように、親指を突出形状の補助レバー部２６Ｂの側面に掛け、他の指でレバー主部２６Ａを掴んで水栓ハンドル２２を図４（Ａ）に示す方向、及び（Ｂ）に示す方向に回転操作することができる。
【００３３】
更には図９（Ａ）に示しているように、補助レバー部２６Ｂの裏側に人差指或いはその他の指を掛けて、これを使用者側（手前側）に引くことで、水栓ハンドル２２を閉方向に操作することができるし、更にはまた図９（Ｂ）に示しているように補助レバー部２６Ｂに対してその上面（天面）側から壁１４側に押込力を加えることで、水栓ハンドル２２を開方向に操作することもできる。
【００３４】
更にはまた図１０に示しているように、掌全体をレバー部２６のほぼ全長に亘って押し当て、その状態で補助レバー部２６Ｂ側に強く押込力を加えることで水栓ハンドル２２を開操作したり、或いはまた逆にレバー主部２６Ａ側に強く力を加えることで水栓ハンドル２２を閉操作することもできる。
即ちこのような突出形状の、即ちレバー主部２６Ａとは逆方向に突出した形態の補助レバー部２６Ｂをレバー部２６に備えることによって、レバー主部２６Ａを掴まなくても水栓ハンドル２２を開閉操作することが可能となる。
【００３５】
以上のように本実施形態によれば、様々な態様で水栓ハンドル２２を操作することが可能となり、また水栓ハンドル２２の回転操作方向に応じて水栓ハンドル２２に対する握りを変えることによって、回転操作力を水栓ハンドル２２に効率的に加えることができ、少ない操作力で軽やかに水栓ハンドル２２を回転操作することが可能となる。
【００３６】
図１１は本発明の他の実施形態を示している。
この例は上記実施形態のようにハンドル基部２４に凹み２８を設けずに、補助レバー部２６Ｂだけをレバー部２６に設けた例である。
尚この例ではレバー部２６全体が平板状に形成されており、その上面（天面）は略平坦面とされている。
【００３７】
以上本発明の実施形態を詳述したがこれらはあくまで一例示である。
例えば上記実施形態では凹み２８の底面３０を完全な曲面形状で形成しているが、この底面３０は実質的に曲面形状に近いような部分多角形状の面となしておくことも可能である。
また上記実施形態はシングルレバー式混合水栓の水栓ハンドルに本発明を適用した場合の例であるが、本発明は単に図４（Ｂ）の回転方向にだけ操作を行う水栓ハンドル、或いは図４（Ａ）に示す方向にだけ回転操作を行う水栓ハンドル等に対して適用することも可能であり、この場合においてもハンドルの操作パターンのバリエーションが広がって、ハンドルの操作性が向上する効果が得られる。
その他本発明は上記実施形態のような縦の壁以外に水平な取付面や斜めに傾斜した取付面等に備え付けられる水栓ハンドルに適用することも可能であるし、その趣旨を逸脱しない範囲において種々変更を加えた形態で構成可能である。
【図面の簡単な説明】
【００３８】
【図１】本発明の一実施形態である水栓ハンドルを手洗器とともに示す図である。
【図２】図１の要部拡大図である。
【図３】水栓ハンドルを示す図である。
【図４】水栓ハンドルの回転操作方向を示す図である。
【図５】水栓ハンドルの操作の一例を示す図である。
【図６】図５とは異なる水栓ハンドルの操作の一例を示す図である。
【図７】図５，図６とは異なる水栓ハンドルの操作の一例を示す図である。
【図８】図５〜図７とは異なる水栓ハンドルの操作の一例を示す図である。
【図９】図５〜図８とは異なる水栓ハンドルの操作の一例を示す図である。
【図１０】図５〜図９とは異なる水栓ハンドルの操作の一例を示す図である。
【図１１】本発明の他の実施形態を示す図である。
【図１２】従来の水栓ハンドルの一例を示す図である。
【符号の説明】
【００３９】
１８  水栓本体（ハンドル保持部）
２２  水栓ハンドル
２４  ハンドル基部
２６  レバー部
２６Ａ  レバー主部
２６Ｂ  補助レバー部
２８  凹み
３０  底面
３０ａ  側面
３２  凹面
【図１】
2007169978.tif 000003
【図２】
2007169978.tif 000004
【図３】
2007169978.tif 000005
【図４】
2007169978.tif 000006
【図５】
2007169978.tif 000007
【図６】
2007169978.tif 000008
【図７】
2007169978.tif 000009
【図８】
2007169978.tif 000010
【図９】
2007169978.tif 000011
【図１０】
2007169978.tif 000012
【図１１】
2007169978.tif 000013
【図１２】
2007169978.tif 000014